(57)【要約】【課題】作動油の量を容易に確認することができる油量インジケータを備えたアキュムレータ内蔵型の油圧制振器を提供する。【解決手段】油圧制振器１は、作動油を容する油ケース２と、その中に設けられるシリンダ３と、シリンダ３に挿入されるピストン４およびピストンロッド５と、油ケース２とシリンダ３との間の油室６内の設けられるアキュムレータ７と、油ケース２外に固定され油室６に連通する油量インジケータ８とを具備する。油量インジケータ８は、油室６に通じる外付けシリンダ８１と、それに挿入される感圧ピストン８２と、そこから突出するインジケータロッド８３と、感圧ピストン８２と外付けシリンダ８１との間に設けられるダイヤフラム８４と、感圧ピストン８２を付勢するばね８５とを具備する。油量の変化に応じて移動するインジケータロッド８３の突出寸法により、作動油の量を確認する。【選択図】図１
2014119006.tif 000002
【特許請求の範囲】
【請求項１】
ケース本体と、制振対象又は構築物に接続される一端側の後蓋と、後記ピストンロッドを気密に貫通させる開口を有する他端側の前蓋とを具備し、内側に作動油を容する油ケースと、
前記油ケース内に、それとの間に油室を形成するように固定され、両端部においてポペット弁を介して前記油室に通じる油通路を有するシリンダと、
前記シリンダ内に軸線方向摺動自在に挿入され、シリンダ内を第１及び第２の圧力室に区画するピストンと、
一端が前記ピストンに固着され、前記油ケースの前蓋の開口を気密に軸線方向摺動自在に貫通し、他端側が構築物又は制振対象に接続されるピストンロッドと、
前記油室内へ流入する前記シリンダ内へのピストンロッドの侵入体積分の作動油を吸収するアキュムレータと、
前記油室に連通するように前記油ケース外に固定される油量インジケータと、を具備し、
前記油量インジケータは、一端側が前記油室に通じる外付けシリンダと、
前記外付けシリンダの内周との間に間隙を形成して当該外付けシリンダ内に軸線方向移動自在に挿入される感圧ピストンと、
一端側が前記感圧ピストンに固着され、他端側が前記外付けシリンダの他端側へ軸線方向移動自在に突出するインジケータロッドと、
一端側が前記感圧ピストンに結合され、他端側が前記外付けシリンダの内周に結合され、中間部が前記間隙内に折り返し挿入され、それによって外付けシリンダ内を一端側の油圧室と他端側のばね室とに区画するダイヤフラムと、
前記ばね室内に挿入され、前記感圧ピストンを前記外付けシリンダの一端側へ付勢する付勢ばねと、を具備し、
前記付勢ばねの付勢力は、前記アキュムレータを収縮させることのない圧力に設定され、
前記インジケータロッドの突出寸法により作動油の量を確認可能としたことを特徴とするアキュムレータ内蔵型油圧制振器。
【請求項２】
前記インジケータロッドの突出寸法を目視により確認可能に構成されることを特徴とする請求項１に記載のアキュムレータ内蔵型油圧制振器。
【請求項３】
前記インジケータロッドの突出寸法を検知して突出寸法に対応する電気信号を寸法表示装置に送出する位置センサをさらに具備することを特徴とする請求項１に記載のアキュムレータ内蔵型油圧制振器。
【請求項４】
前記アキュムレータが、前記油室内に設けられる独立気泡弾性体であることを特徴とする請求項１ないし３のいずれかに記載のアキュムレータ内蔵型油圧制振器。
【発明の詳細な説明】
【技術分野】
【０００１】
本発明は、アキュムレータを内蔵する油圧制振器における油量インジケータの構造に関するものである。
【背景技術】
【０００２】
従来、油圧制振器のアキュムレータとして、次のようなものがある。シリンダ内に作動油と共に所定量のガスを封入し、ガス室を仕切るフリーピストンを備えない構造のもの、シリンダ内に作動油と共に所定量のガスを封入し、ガス室を仕切るフリーピストンを備える構造のもの、独立気泡弾性体をシリンダに内装する構造（例えば特許文献１）のものである。いずれの構造も、ピストンロッドがシリンダに進入してシリンダ内の圧力が上昇すると、ガスまたは弾性体が収縮することによってピストンロッドの侵入体積分の作動油を吸収するようになっている。
【先行技術文献】
【特許文献】
【０００３】
【特許文献１】特開昭６３−９７４１号公報
【発明の概要】
【発明が解決しようとする課題】
【０００４】
上記従来の油圧制振器においては、作動油の量を確認するのが困難であるという課題がある。
したがって、本発明は、作動油の量を容易に確認することができる油量インジケータを備えたアキュムレータ内蔵型の油圧制振器を提供することを目的としている。
【課題を解決するための手段】
【０００５】
以下、添付図面の符号を参照して説明するが、本発明はこれに限定されるものではない。
上記課題を解決するための、本発明の油圧制振器１は、内側に作動油を容する油ケース２と、油ケース２内に設けられるシリンダ３と、シリンダ３内に挿入されるピストン４およびピストンロッド５と、油ケース２とシリンダ３との間の油室６内の設けられるアキュムレータ７と、油室６に連通するように油ケース２外に固定される油量インジケータ８とを具備する。油ケース２は、ケース本体２１と、制振対象又は構築物に接続される一端側の後蓋２２と、ピストンロッド５を気密に貫通させる開口２５を有する他端側の前蓋２４とを具備する。シリンダ３は、油ケース２内に固定され、油ケース２との間に油室６を形成し、両端部においてポペット弁３４，３５を介して油室６に通じる油通路３６，３７を有する。ピストン４は、シリンダ３内に軸線方向摺動自在に挿入され、内部を第１及び第２の２つの圧力室３８ａ，３８ｂに区画する。ピストンロッド５は、一端がピストン４に固着され、油ケース２の前蓋２４の開口２５を気密に軸線方向摺動自在に貫通し、他端側が構築物又は制振対象に接続される。アキュムレータ７は、収縮することによって、油室６内へ流入するシリンダ３内へのピストンロッド５の侵入体積分の作動油を吸収したり、温度変化による作動油体積の変化分を吸収したりする。油量インジケータ８は、一端側が油室６に通じる外付けシリンダ８１と、外付けシリンダ８１内に挿入される感圧ピストン８２と、そこから突出するインジケータロッド８３と、感圧ピストン８２と外付けシリンダ８１との間に設けられるダイヤフラム８４と、感圧ピストン８２を付勢するばね８５とを具備する。感圧ピストン８２は、外付けシリンダ８１の内周との間に間隙８１ｃを形成して当該外付けシリンダ８１内に軸線方向移動自在に挿入される。インジケータロッド８３は、一端側が感圧ピストン８２に固着され、他端側が外付けシリンダ８１の他端側へ軸線方向移動自在に突出する。ダイヤフラム８４は、一端側が感圧ピストン８２の一端面に結合され、他端側が外付けシリンダ８１の内周に結合され、中間部が間隙８１ｃ内に折り返して挿入され、それによって外付けシリンダ８１内を一端側の油圧室８１ｄと他端側のばね室８１ｅとに区画する。ばね８５は、ばね室８１ｅ内に挿入され、感圧ピストン８２を外付けシリンダ８１の一端側へ付勢する。付勢ばね８５の付勢力は、アキュムレータ７を収縮させることのない圧力に設定される。油量の変化に応じて移動するインジケータロッド８３の突出寸法により、作動油の量を確認することができる。
【発明の効果】
【０００６】
本発明の油圧制振器１の油量インジケータ８は、摺動抵抗の極小な感圧ピストン８２と、これに接続されるダイヤフラム８４と、アキュムレータ７を収縮させないばね力の小さな付勢ばね８５とを用いるため、独立気泡弾性体のようなアキュムレータに与える外力がきわめて小さく、油漏れのリスクも小さい。インジケータロッド８３の突出寸法により、制振器の任意の取り付け姿勢において作動油の量を容易かつ確実に確認できる。
【図面の簡単な説明】
【０００７】
【図１】本発明に係る油圧制振器の断面図である。
【図２】図１の油圧制振器における油量インジケータ部の拡大断面図である。
【図３】図１の油圧制振器における油量インジケータ部の異なる状態の拡大断面図である。
【発明を実施するための形態】
【０００８】
図面を参照して本発明の実施の形態を説明する。
図１において、油圧制振器１は、内側に作動油を容する油ケース２と、油ケース内に設けられるシリンダ３と、シリンダ３内に挿入されるピストン４およびピストンロッド５と、油室６内に設けられるアキュムレータ７と、油室６に連通するように油ケース２外に固定される油量インジケータ８とを具備する。
【０００９】
油ケース２は、円筒状のケース本体２１と、引き手２３を介して図示しない制振対象又は構築物に接続される一端側の後蓋２２と、他端側の前蓋２４とを具備する。前蓋２４は、ピストンロッド５を気密に貫通させる開口２５を有する。
【００１０】
シリンダ３は、油ケース２内に、これと同軸上に配置されるシリンダチューブ３１と、油ケース２の後蓋２２に固定されるシリンダカバー３２と、これに対向するロッドカバー３３とからなる。シリンダ３は、油ケース２との間に油室６を形成し、軸線方向の両端部においてポペット弁３４，３５を介して油室６に通じる油通路３６，３７を有する。
【００１１】
ピストン４は、シリンダ３内に軸線方向摺動自在に挿入され、内部を第１及び第２の２つの圧力室３８ａ，３８ｂに区画する。ピストンロッド５は、一端がピストン４に固着され、中間においてシリンダカバー３３と油ケースの前蓋２４の開口２５を気密に軸線方向摺動自在に貫通し、他端側が引き手５を介して構築物又は制振対象に接続される。
【００１２】
アキュムレータ７は、独立気泡弾性体からなり、油室６内に配置される。ピストン４が図において左へ移動と、圧力室３８ｂ内へのピストンロッド６の侵入体積分の作動油が油室６内へ流入するが、アキュムレータ７が収縮することによって、ピストンロッド６の侵入体積分の作動油を吸収する。また、これにより、温度変化による作動油体積の変化分を吸収する。なお、アキュムレータは、ガス圧式のものであってもよい。
【００１３】
図２、図３に示すように、油量インジケータ８は、油ケース２の外側に固着される外付けシリンダ８１と、外付けシリンダ８１内に挿入される感圧ピストン８２と、そこから突出するインジケータロッド８３と、感圧ピストン８２と外付けシリンダ８１との間に設けられるダイヤフラム８４と、感圧ピストンを付勢するばね８５とを具備する。
【００１４】
外付けシリンダ８１は、その軸線を油ケース２の軸線と平行に配置され、一端側のシリンダヘッド８１ａにおいて油通路８６を介して油室６に通じる。外付けシリンダ８１の他端側は、インジケータロッド８３を軸線方向摺動自在に貫通させるロッドカバー８１ｂで閉じられる。
【００１５】
感圧ピストン８２は、外付けシリンダ８１の内周との間に間隙８１ｃを形成して当該外付けシリンダ８１内に軸線方向移動自在に挿入される。したがって、感圧ピストン８２は摺動抵抗がきわめて小さく、アキュムレータの伸縮動作に影響を及ぼすことがない。
【００１６】
インジケータロッド８３は、一端側が感圧ピストン８２に固着され、他端側が外付けシリンダ８１のロッドカバー８１ｂから突出する。
【００１７】
ダイヤフラム８４は、一端側が感圧ピストン８２の一端面に結合され、他端側が外付けシリンダ８１の内周に結合され、中間部が間隙８１ｃ内に折り返して挿入される。ダイヤフラム８４によって、外付けシリンダ８１内は、一端側の油圧室８１ｄと他端側のばね室８１ｅとに区画される。油圧室８１ｄは、ダイヤフラム８４によって、ばね室８１ｅと気密に区画される。
【００１８】
ばね８５は、ばね室８１ｅ内に挿入され、感圧ピストン８２を外付けシリンダ８１の一端側へ付勢する。付勢ばね８５の付勢力は、アキュムレータ７を収縮させることのない小さな圧力に設定される。油量の変化に応じて移動するインジケータロッド８３の突出寸法により、作動油の量を確認することができる。インジケータロッドの突出寸法は目視により確認するようにしてもよいし、位置センサにより突出寸法を検知して、それに応じた電気信号を寸法表示装置に送出するようにしてもよい。
【符号の説明】
【００１９】
１    油圧制振器
２    油ケース
２１  油ケース本体
２２  後蓋
２３  引き手
２４  前蓋
２５  開口
３    シリンダ
３１  シリンダチューブ
３２  シリンダカバー
３３  ロッドカバー
３４  ポペット弁
３５  ポペット弁
３６  油通路
３７  油通路
３８ａ  第１の圧力室
３８ｂ  第２の圧力室
４    ピストン
５    ピストンロッド
５１  引き手
６    油室
７    アキュムレータ
８    油量インジケータ
８１  外付けシリンダ
８１ａ  シリンダヘッド
８１ｂ  ロッドカバー
８１ｃ  間隙
８１ｄ  油圧室
８１ｅ  ばね室
８２    感圧ピストン
８３  インジケータロッド
８４  ダイヤフラム
８５  付勢ばね
８６  油通路
【図１】
2014119006.tif 000003
【図２】
2014119006.tif 000004
【図３】
2014119006.tif 000005